(57)【要約】【課題】安定した中間調を記録することができるインナードラム露光装置およびそれを用いた露光方法を提供すること。【解決手段】円筒形状の支持体の内周面に保持された記録媒体を、回転駆動する走査手段の反射面で偏向され、画像情報に応じて変調された光ビームを用いて走査することによって画像を記録するインナードラム露光装置であって、光源と、光ビームを光源から記録媒体の被走査面上まで通過させる光学系と、走査手段と一体に回転するように光ビームの光路上に配置され、光ビームの回折光の主たる回折光と他の回折光である不要光とをそれぞれ異なる所定の回折角で回折することにより分離し、記録媒体の被走査面上に集光する主たる回折光のビームスポット形状が所望の形状となるように光ビームを整形する回折光学素子と、回折光の回折方向に応じて所定の回折光のみを記録媒体の被走査面上に導き、その他の回折光を除去する除去手段とを備えるインナードラム露光装置を提供する。【選択図】図１
2007093947.tif 000002
【特許請求の範囲】
【請求項１】
円筒形状を有する支持体の内周面に保持された記録媒体に対し、画像情報に応じて変調された光ビームを回転駆動される走査手段の反射面で偏向し、前記記録媒体を走査することによって画像を記録するインナードラム露光装置であって、
前記光ビームを出射する光源と、
前記光ビームを光源から前記記録媒体の被走査面上まで通過させる光学系と、
前記走査手段と一体に回転するように前記光ビームの光路上に配置され、前記光学系と共に前記光ビームに作用して、該光ビームの回折光の主たる回折光と他の回折光である不要光とをそれぞれ異なる所定の回折角で回折することにより分離し、前記主たる回折光が前記記録媒体の被走査面上に集光するビームスポット形状が所望の形状となるように光ビームを整形する回折光学素子と、
前記回折光学素子を通過した該光ビームの前記主たる回折光のみを前記記録媒体の被走査面上に導き、前記不要光を除去する除去手段とを備えるインナードラム露光装置。
【請求項２】
前記光ビームの所望の形状が、前記回転駆動する走査手段の主走査方向と直交する副走査方向を長手方向とする略矩形形状である請求項１に記載のインナードラム露光装置。
【請求項３】
前記光ビームの所望の形状が、前記回転駆動する走査手段の主走査方向と直交する副走査方向に少なくとも２個以上のビームスポットを並置する形状である請求項１に記載のインナードラム露光装置。
【請求項４】
前記反射面が、前記主たる回折光のみを反射し、前記その他の回折光である不要光を透過する光ビームの反射率の入射角依存性を有し、
かつ、前記回折光学素子の回折特性に応じて所定の回折角で回折された前記主たる回折光を前記反射面で偏向する際に、主たる回折光の光軸が前記支持体の円筒内周面に垂直となるように、前記走査手段の回転軸に対して所定の角度で設けられ、
前記除去手段として作用する請求項１〜３に記載のインナードラム露光装置。
【請求項５】
前記反射面が、前記回折光学素子の回折特性に応じて回折された光ビームの前記主たる回折光を前記反射面で偏向する際に、主たる回折光の光軸が前記支持体の円筒内周面に垂直となるように、前記走査手段の回転軸に対して所定の角度で設けられ、
一対の略円盤形状の遮光板が、前記走査手段の反射面を挟んで、該走査手段の近傍の所定の位置に互いに平行に、前記反射面において所定の角度で偏向する前記他の回折光の光路上に、前記走査手段と共通の台座に配設され、
該反射面と該遮光板とが前記他の回折光である不要光を除去する除去手段として作用する請求項１〜３のいずれかに記載のインナードラム露光装置。
【請求項６】
前記光ビームの偏向状態が円偏光またはランダム偏向のどちらか一方の偏向状態である請求項１〜５に記載のインナードラム露光装置。
【請求項７】
円筒形状を有する支持体の内周面に保持された記録媒体に対し、画像情報に応じて変調された光ビームを走査手段の回転駆動される反射面で偏向し、前記記録媒体を走査することによって画像を記録する露光方法であって、
前記光ビームの光路上に前記走査手段の反射面と一体に回転するように配設される回折光学素子を使用して前記光ビームを回折することで主たる回折光とその他の回折光とを所定の回折角で回折して分離し、
前記主たる回折光と前記その他の回折光との前記夫々の回折角の差を用いて、不要光である該その他の回折光を除去し、
前記主たる回折光によるビームスポット形状が回折光学素子を介して所望の形状となるように光ビームを整形する露光方法。
【請求項８】
前記所望のビームスポット形状が、前記走査手段の回転方向である主走査方向と直行する副走査方向を長手方向とする略矩形形状のビームスポット形状である請求項７に記載の露光方法。
【請求項９】
前記所望のビームスポット形状が、前記走査手段の回転方向である主走査方向と直行する副走査方向に複数のビームスポットを並置することにより形成される、副走査方向を長手方向とする略矩形形状のビームスポット形状である請求項７に記載の露光方法。
【請求項１０】
前記回折光学素子の回折特性に応じて回折された光ビームの前記主たる回折光を前記反射面で偏向する際に、主たる回折光の光軸が前記支持体の円筒内周面に垂直となるように前記反射面を前記走査手段の回転軸に対して所定の角度で設け、
さらに、前記反射面の、光ビームの入射角に対する反射率の依存性の値を所定の値として、前記主たる回折光と前記その他の回折光との前記反射面への入射角の差を用いて、前記主たる回折光のみを反射し、前記その他の回折光である不要光を透過することにより該不要光を除去する請求項７〜９のいずれかに記載の露光方法。
【請求項１１】
前記回折光学素子の回折特性に応じて回折された光ビームの前記主たる回折光を前記反射面で偏向する際に、主たる回折光の光軸が前記支持体の円筒内周面に垂直となるように前記反射面を前記走査手段の回転軸に対して所定の角度で設け、
前記反射面において所定の角度で偏向する前記他の回折光の光路上で、前記走査手段の近傍の所定の位置に配設する遮光板を用いて前記他の回折光を除去する請求項７〜９いずれかに記載の露光方法。
【請求項１２】
前記光ビームの偏向状態が円偏光またはランダム偏向のどちらか一方の偏向状態である請求項７〜１１に記載の露光方法。
【発明の詳細な説明】
【技術分野】
【０００１】
本発明は、レーザービーム等の光ビームの走査光学系により、円筒ドラムの内周面に配置した記録媒体、例えば感光材料を走査露光するインナードラム露光装置および露光方法に関する。
【背景技術】
【０００２】
一般に、感光材料等の記録媒体を円筒ドラムの内周面上に配置し、その記録媒体をレーザービーム等の光ビームを用いて走査し露光処理を行うインナードラム露光装置が広く用いられている。例えば、特許文献１に説明されるようなインナードラム露光装置を挙げることができる。
【０００３】
このようなインナードラム露光装置では、記録媒体に露光処理して中間調を表現する場合に、ＡＭスクリーン（網点画像により濃淡画像を形成する手法）を利用して網形状（いわゆる極小の市松模様状）で中間調を表現するのが普通である。すなわち、ＡＭスクリーンでは、最小単位の網点画像が、一例として１４（水平方向ドット数）×１４（垂直方向ドット数）の合計１９６ドット等、比較的多数のドットで構成されており、この網点画像を２次元平面状に並べて記録することにより濃淡画像を記録するようにしている。ただし、このＡＭスクリーンを利用して中間調を表現する場合には、モアレ縞が生じたり、トーンジャンプが発生することがある。
【０００４】
また、網点画像により濃淡画像を形成する手法として、ＦＭスクリーンと呼ばれる手法がある。このＦＭスクリーンは、規則性を持たない不定形ドットの集合密度によって記録画像の濃淡を表現する。例えば、２×２の合計４ドット等、比較的少数のドットで構成された画像を２次元平面状に分散させて階調表現を行う。このＦＭスクリーンでは、原理的にモアレ縞の発生を抑制することができるという利点がある。そこで、インナードラム露光装置では、ＦＭスクリーンを使って、小さな網形状で中間調を形成することが望まれている。
【０００５】
また、上述のような問題とは別に、記録媒体を露光するための光学系等から発生する散乱光といったインナードラム内部の迷光が記録媒体を露光することにより、形成される画像の鮮鋭度が低下するという問題がある。
【特許文献１】特開平１０−１３３１３２号公報
【発明の開示】
【発明が解決しようとする課題】
【０００６】
通常のインナードラム露光装置では、単一モードのレーザ光源から出射した光を被走査面上に結像して画像を形成する。また、このようなレーザ光源から射出する光ビームにおけるビームスポットの光強度分はガウス分布をしている。このようなガウス分布したビームスポットで露光して画素を記録する場合には、走査線間が空かないようにビームスポットの半値全幅と画素サイズとを決定する。つまり、ビームスポットの半値幅と画素サイズとが略同じサイズか、または、ビームスポットの半値幅が画素サイズ以上のサイズとなるように設計する。
【０００７】
エッジ部がなだらかなビームスポットにより記録媒体を露光すると、光パワー変動や刷り枚数といった記録条件や、自動現像機の現像の度合いといった現像条件等の影響により記録画素の周長が変動し易く、従来のインナードラム露光装置ではＦＭスクリーンを利用することが困難であるという問題がある。
【０００８】
本発明は上記事情に鑑みてなされたもので、その目的とするところは、前記従来技術に基づく問題点を解消し、安定した中間調を記録することができるインナードラム露光装置および露光方法を提供することにある。
【課題を解決するための手段】
【０００９】
上記の課題を解決するために、本発明は、円筒形状を有する支持体の内周面に保持された記録媒体に対し、画像情報に応じて変調された光ビームを回転駆動される走査手段の反射面で偏向し、前記記録媒体を走査することによって画像を記録するインナードラム露光装置であって、
前記光ビームを出射する光源と、前記光ビームを光源から前記記録媒体の被走査面上まで通過させる光学系と、前記走査手段と一体に回転するように前記光ビームの光路上に配置され、前記光学系と共に前記光ビームに作用して、該光ビームの回折光の主たる回折光と他の回折光である不要光とをそれぞれ異なる所定の回折角で回折することにより分離し、前記主たる回折光が前記記録媒体の被走査面上に集光するビームスポット形状が所望の形状となるように光ビームを整形する回折光学素子と、前記回折光学素子を通過した該光ビームの前記主たる回折光のみを前記記録媒体の被走査面上に導き、前記不要光を除去する除去手段とを備えるインナードラム露光装置を提供する。
【００１０】
また、前記光ビームの所望の形状が、前記回転駆動する走査手段の主走査方向と直交する副走査方向を長手方向とする略矩形形状であるインナードラム露光装置を提供する。
【００１１】
また、前記光ビームの所望の形状が、前記回転駆動する走査手段の主走査方向と直交する副走査方向に少なくとも２個以上のビームスポットを並置する形状であるインナードラム露光装置を提供する。
ここで、並置するビームスポットの個数は、２〜８個であるのが好ましい。
【００１２】
また、前記反射面が、前記主たる回折光のみを反射し、前記その他の回折光である不要光を透過する光ビームの反射率の入射角依存性を有し、かつ、前記回折光学素子の回折特性に応じて所定の回折角で回折された前記主たる回折光を前記反射面で偏向する際に、主たる回折光の光軸が前記支持体の円筒内周面に垂直となるように、前記走査手段の回転軸に対して所定の角度で設けられ、前記除去手段として作用するインナードラム露光装置を提供する。
【００１３】
また、前記反射面が、前記回折光学素子の回折特性に応じて回折された光ビームの前記主たる回折光を前記反射面で偏向する際に、主たる回折光の光軸が前記支持体の円筒内周面に垂直となるように、前記走査手段の回転軸に対して所定の角度で設けられ、一対の略円盤形状の遮光板が、前記走査手段の反射面を挟んで、該走査手段の近傍の所定の位置に互いに平行に、前記反射面において所定の角度で偏向する前記他の回折光の光路上に、前記走査手段と共通の台座に配設され、該反射面と該遮光板とが前記他の回折光である不要光を除去する除去手段として作用するインナードラム露光装置を提供する。
【００１４】
前記光ビームの偏向状態が円偏光またはランダム偏向のどちらか一方の偏向状態であるインナードラム露光装置を提供する。
【００１５】
さらに、本発明は、円筒形状を有する支持体の内周面に保持された記録媒体に対し、画像情報に応じて変調された光ビームを走査手段の回転駆動される反射面で偏向し、前記記録媒体を走査することによって画像を記録する露光方法であって、前記光ビームの光路上に前記走査手段の反射面と一体に回転するように配設される回折光学素子を使用して前記光ビームを回折することで主たる回折光とその他の回折光とを所定の回折角で回折して分離し、前記主たる回折光と前記その他の回折光との前記夫々の回折角の差を用いて、不要光である該その他の回折光を除去し、前記主たる回折光によるビームスポット形状が回折光学素子を介して所望の形状となるように光ビームを整形する露光方法を提供する。
【００１６】
また、前記所望のビームスポット形状が、前記走査手段の回転方向である主走査方向と直行する副走査方向を長手方向とする略矩形形状のビームスポット形状である露光方法を提供する。
【００１７】
また、前記所望のビームスポット形状が、前記走査手段の回転方向である主走査方向と直行する副走査方向に２個以上のビームスポットを並置することにより形成される、副走査方向を長手方向とする略矩形形状のビームスポット形状である露光方法を提供する。
【００１８】
また、前記回折光学素子の回折特性に応じて回折された光ビームの前記主たる回折光を前記反射面で偏向する際に、主たる回折光の光軸が前記支持体の円筒内周面に垂直となるように前記反射面を前記走査手段の回転軸に対して所定の角度で設け、
さらに、前記反射面の、光ビームの入射角に対する反射率の依存性の値を所定の値として、前記主たる回折光と前記その他の回折光との前記反射面への入射角の差を用いて、前記主たる回折光のみを反射し、前記その他の回折光である不要光を透過することにより該不要光を除去する露光方法を提供する。
【００１９】
前記回折光学素子の回折特性に応じて回折された光ビームの前記主たる回折光を前記反射面で偏向する際に、主たる回折光の光軸が前記支持体の円筒内周面に垂直となるように前記反射面を前記走査手段の回転軸に対して所定の角度で設け、前記反射面において所定の角度で偏向する前記他の回折光の光路上で、前記走査手段の近傍の所定の位置に配設する遮光板を用いて前記他の回折光を除去する露光方法を提供する。
【００２０】
前記光ビームの偏向状態が円偏光またはランダム偏向のどちらか一方の偏向状態である露光方法を提供する。
【発明の効果】
【００２１】
本発明によれば、ＦＭスクリーン等の小ドットにおけるドットサイズの安定性を向上させ、従来よりも網点面積率特性の変動を抑制することができる。また、記録媒体の感度変動や、現像液の感度変動による現像の度合いや自動現像機のブラシの経時劣化といった現像条件等に起因する網点面積率の変動を抑制することができるので、最終的に安定した中間調を表現することができる。
さらに、本発明によれば、インナードラム内部に新たに生じる不要光を除去する除去手段を備えることにより、記録媒体が不要光により感光することに起因する記録画像の鮮鋭度の低下を抑制することができる。
【発明を実施するための最良の形態】
【００２２】
本発明のインナードラム露光装置に係る第１の実施形態について以下に説明する。
本実施形態に係るインナードラム露光装置は、ＦＭスクリーン等の小ドットにおけるドットサイズの安定性を向上させるために回折光学素子を使用する。この回折光学素子は、光ビームを光源から記録媒体の被走査面上まで導く光学系と共に光ビームに作用し、記録媒体を走査する光ビームのスポット形状を副走査方向を長手方向とする略矩形形状に整形することができる。
【００２３】
また、本実施形態に係るインナードラム露光装置は、回折光学素子の回折光として発生する不要光を除去する除去手段を有する。この除去手段は、後述する走査手段における反射面の反射率の入射角依存性を適当に選択して、主たる回折光と不要光との反射面への入射角の違いを利用することにより、反射面において不要光のみを透過させて除去することができる。
これらを使用して本発明の目的を達成する。
【００２４】
本実施形態に係るインナードラム露光装置について図１から図７により説明する。図１は、第１の実施形態に係るインナードラム露光装置の概略構成図である。図２は、第１の実施形態に係る操作手段の要部を示す模式図である。図３は、第１の実施形態での光ビームの作用を模式的に示す説明図である。図４は、第１の実施形態に係るキューブプリズムの反射面の特性を説明する説明図である。図５は、本実施形態と本実施形態に係る光ビームのビームスポットの光強度分布を示す説明図である。図６は、従来技術に係る光ビームのビームスポットの光強度分布を示す説明図である。図７は、第１の実施形態における変更例での光ビームの作用を模式的に示す説明図である
【００２５】
図１または図２に示すように、インナードラム露光装置１０は、主に、支持体１２と、記録媒体１４と、走査手段１６と、回折光学素子２４と、光ビームを支持体１２の内部に導入する光学系と、記録媒体１４の露光面上に集光する集光光学系とを備える。
【００２６】
支持体１２は、略円筒形状（円筒の一部を構成する形状）を有し、インナードラム露光装置１０の母体をなす。また、支持体１２は、その内周面に記録媒体１４を保持する。後述するように、光ビームがこの記録媒体１４を走査露光することにより、記録媒体上に潜像を形成する。記録媒体１４には、フォトポリマー版もしくは通常のＰＳ版または銀塩タイプの感光材料等を使用すればよい。
【００２７】
また、光源から出射した光ビームを支持体１２内部に導入する光学系について説明する。図１に示すように、この光学系は、レーザ光源３０側から、１／４波長板３２、反射鏡３４、反射鏡３６を配列して構成する。反射鏡３４および反射鏡３６は、支持体１２内部に導入される光ビームの光軸（図１上にＬで示す）が、支持体１２の円筒中心軸と一致するように配設する
レーザ光源３０としては、略直線偏光からなる光ビームを出射する一般的な半導体レーザを使用すればよい。また、このレーザ光源３０には、中心光強度が高く、中心から離れるに従って光強度が徐々に低くなる光強度分布からなる単一横モード半導体レーザを使用することができる。また、１／４波長板３２は、レーザ光源３０から出射された直線偏光からなる光ビームを円偏光に変換する。
【００２８】
光源３０は、レーザドライバ４２に接続し、レーザドライバ４２は制御装置４０に接続する。制御装置４０は、図示しない入力装置から露光処理開始の指令を受けて画像情報に基づいて画像信号を発生し、この画像信号をレーザドライバ４２へ送信する。また、レーザドライバ４２は、画像信号に基づいてレーザ光源３０を駆動制御する。レーザドライバ４２に駆動制御されたレーザ光源３０は、画像信号に基づいて変調した光ビームを出射する。
【００２９】
レーザ光源３０から出射される光ビームは、１／４波長板３２を通過する際に偏光状態が直線偏光から円偏光に変わる。その後、光ビームは、光路上に配設される反射鏡３４および反射鏡３６において反射して、支持体１２の円筒中心軸と光ビームの光軸とが一致するように支持体１２内部に導入される。
【００３０】
なお、本実施形態では、偏向状態が直線偏向であるレーザ光源を使用したが、レーザ光源として円偏光またはランダム偏光の偏向状態を有する光ビームを出射するものを使用してもよい。この場合には、光ビームの偏光状態を直線偏光に変換する１／４波長板３２を除いて光学系を構成すればよく、光学系を簡略化することができる。
【００３１】
ここで、集光光学系について説明する。集光光学系は、支持体１２内部に導入された光ビームを記録媒体１４の被走査面上に集光する。図１または図２に示す集光光学系は、集光レンズ２６と、走査手段１６と、および回折光学素子２４とを備える。
【００３２】
図１に示すように、集光レンズ２６は、光ビームの光路上に反射鏡３６に次いで配置される。
走査手段１６は、キューブプリズム１８と、軸２０と、およびモータ２２とを備える。走査手段１６のキューブプリズム１８は、軸２０を介してモータ２２と接続し、モータ２２を回転動力源として回転駆動する。キューブプリズム１８と、軸２０と、およびモータ２２とを含む走査手段１６は、その回転軸が上述した円筒中心軸と一致するように配設される。ここで、以下では、回転軸と円筒中心軸に関して特に区別しない場合においてこれらをまとめて中心軸とよぶ。
【００３３】
また、図２に示すように、キューブプリズム１８は、三角柱形状を有する二つの光学ガラスブロック１８ａ，１８ｂと、誘電体多層膜１９ａとを備える略直方体形状のプリズムである。光学ガラスブロック１８ａはモータ２２側に配し、光学ガラスブロック１８ｂは光源側に配する。誘電体多層膜１９ａは、光学ガラスブロック１８ａ，１８ｂに挟まれるように配する。また、誘電体多層膜１９ａは、光学ガラスブロック１８ｂに光ビームが入射する面と対する面に、蒸着等の薄膜技術により形成される。反射面１９は、キューブプリズム１８の一辺とその対辺を含む、中心軸と所定の角度γをなす面であり（図３参照）、光学ガラスブロック１８ｂにおける誘電体多層膜１９ａとの接合面に形成される。また、反射面１９は、誘電体多層膜１９ａにより反射率の入射角依存性に関して所定の特性を有する。
反射面１９と走査手段１６の回転軸とがなす角度、および、反射率の入射角依存性に関しては後述する。
【００３４】
また、キューブプリズム１８は、光学ガラスブロック１８ａがバランサとして機能して回転時における質量のバランスを確保するようにしたことにより、回転駆動する走査手段１６を安定に高速回転させることが可能になっている。
【００３５】
ところで、本発明に係るインナードラム露光装置１０は、光ビームの回折光のうち主たる回折光と他の回折光である不要光とを異なる回折角で回折することによりそれらを分離し、さらに、主たる回折光による光ビームのスポット形状を副走査方向を長手方向とする略矩形形状（図５参照）に整形する回折光学素子２４を備えることを特徴とする。
【００３６】
本明細書中でいう回折光学素子とは、光の回折現象を利用して光の進行方向を変えることができ、基板に形成する周期的な構造（回折溝）によって光を回折することにより波面を整形することができる（波面変換作用を有する）光学素子である。従って、回折光学素子は、用途に応じて上記周期的な構造（回折溝）を設計して基板上に形成することにより任意の波面を得ることができる。
本発明に係るインナードラム露光装置１０は、図１に示す集光レンズ２６による集光作用と回折光学素子２４による波面変換作用により、支持体１２上に保持された記録媒体１４の被走査面上に副走査方向を長手方向とする略矩形形状のビームスポットを形成することができる。
【００３７】
本発明に係るインナードラム露光装置で使用される回折光学素子２４は、その回折溝を所望の形状に設計することにより、特定の回折光のみを高い回折効率で回折させることができる。
【００３８】
また、本発明に係るインナードラム露光装置で使用される回折光学素子２４は、オフアクシスタイプの回折光学素子である。本明細書中でいうオフアクシスタイプの回折光学素子とは、利用する高次回折光の光軸と、０次回折光の光軸とが有限の分離角を有するものである。
【００３９】
また、本明細書中において以下では、主たる回折光とは１次光のことである。つまり、記録媒体に画像の記録を行うのは１次光である。それに対して不要光は、主に０次光のことである。０次光は、主に回折光学素子に入射する光ビームの透過光であり、回折光学素子に入射する光ビームの光強度分布であるガウス分布を維持している。
【００４０】
図２に示すように、回折光学素子２４は、キューブプリズム１８に光ビームが入射する入射面上に配設され、走査手段１６と一体で回転することができる。
回折光学素子２４に入射した光ビームは、回折して、０次光と１次光とに分離する。ここで、図２および図３において、０次光の光軸Ｌ０を一点鎖線で示し、１次光の光軸Ｌ１を二点鎖線で示す。上述したように、０次光は、その光軸が入射光の光軸と同一のものであり、その光軸は中心軸と一致する。また、１次光は、中心軸と反射面が交差する点から引いた反射面の法線と中心軸とを通る平面上において中心軸に対して所定の回折角θで回折したものである。
【００４１】
本実施形態に係る回折光学素子２４の回折溝の形状は、１次光が記録媒体１４の被走査面上において略矩形形状のビームスポットを形成するように決定するが、これ以外に回折光学素子の回折特性に依存する１次光の回折角θについても考慮する必要がある。
【００４２】
上述したように、０次光は主に入射した光ビームの透過光からなり、その光強度分布はガウス分布を示す。本発明では、オフアクシスタイプの回折光学素子を使用することにより、このガウス分布を示す０次光と、主たる回折光である１次光とを分離する。
【００４３】
そして、０次光および１次光は、それぞれ反射面１９に入射する。ここで、反射面１９が中心軸となす角度γは以下のようにして決めることができる。
１次光は、反射面１９で反射し、副走査方向を長手とする略矩形形状のビームスポットを記録媒体上に形成する。従って、反射面１９で反射された１次光の反射光の光軸Ｌ１が支持体の円筒内周面に対して垂直であるように、反射面１９と中心軸とがなす角度γを決める。
【００４４】
ところで、上述した反射面１９と中心軸とがなす角度γは、その導出過程は示さないが、１次光の回折角θを用いて以下のように表わすことができる。
γ＝４５°＋θ／２    （０°＜θ＜９０°）
角度γは、回折角θを決めれば上記の式で一義的に導くことができる。ただし、θの範囲は、好適なθの範囲ではなく、とりえる可能な範囲を示したものである。
【００４５】
ここで、上記反射面における反射率の入射角依存性について、図３に示すように、反射面１９に対する０次光の入射角を角度α、１次光の入射角を角度βとして、角度αよりも角度βのほうが大きくなる場合、つまり、１次光の入射角が０次光の入射角よりも大きくなるような１次光の回折角θを与える回折特性を示す回折光学素子を使用する場合において説明する。
【００４６】
本実施形態における反射率の入射角依存性は、一例として、図４に示すように、横軸には反射面１９に入射する回折光の入射角、縦軸には反射率をとり、入射角が大きい方は反射率が大きく、入射角が小さい方は反射率が小さいというものである。
【００４７】
つまり、０次光の入射角である角度αが、図４中の角度領域Ａで示す反射率が小さい透過領域Ａに位置するように、また、１次光の入射角である角度βが、図４中の角度領域Ｂで示す反射率が大きい反射領域Ｂに位置するような反射面１９における反射率の入射角依存性を有する反射面を選択する。これにより、本実施形態に係るインナードラム露光装置１０は、不要光である０次光を除去し、主たる回折光である１次光のみを記録媒体上に導くことができる。
本実施形態に係るインナードラム露光装置１０は、０次光を除去する除去手段として、上述のような反射率の入射角依存性を有する反射面１９を備えることを特徴とする。
【００４８】
このような特性を備える反射面を形成するために、誘電体多層膜１９ａを使用する。この誘電体多層膜は、Ｔａ２Ｏ５、ＴｉＯ２、ＳｉＯ２、ＭｇＦ２、ＭｇＯ、Ａｌ２Ｏ３、ＨｆＯ２、ＺｒＯ２等を使用し、薄膜技術により光学ガラスブロック１８ｂに光ビームが入射する面と対する面に積層するのが好ましい。
【００４９】
ところで、１次光の入射角βの大きさと０次光の入射角αの大きさの差はθである。１次光の回折角θが大きいほど、図４に示す反射率の入射角依存性における透過領域Ａと反射領域Ｂとの間の領域を大きくとることができ、逆に回折角θが小さいほど透過領域Ａと反射領域Ｂとの間の領域を小さくする必要がある。つまり、回折角θの大きさは、誘電体多層膜１９ａを選択する際の自由度に影響を与えるといえる。
【００５０】
また、回折角θにより決まる入射角α，βに応じて反射率の入射角度依存性を決めればよいことは上述したが、逆に、誘電体多層膜１９ａの設計上の理由により透過領域Ａと反射領域Ｂとの間の領域の大きさとしてのθの選択可能な範囲が限定される場合は、それを考慮して回折角θの値を選択して回折光学素子の回折溝を設計する必要がある。
【００５１】
インナードラム露光装置１０は、図１中の矢印Ｃで示す回転軸の軸方向である副走査方向に、走査手段１６を移動させる図示しない副走査移動手段を備える。また、走査手段１６および上述した図示しない副走査移動手段は、スピナードライバ４４に接続され、そのスピナードライバ４４は制御装置４０に接続される。
露光処理開始の指令を受けた制御装置４０は、スピナードライバ４４に制御信号を送信する。この制御信号を受けたスピナードライバ４４は、モータ２２の駆動制御を行う。それと同時に、スピナードライバ４４は、副走査移動手段の駆動制御をも行う。
【００５２】
光ビームは、走査手段１６のキューブプリズム１８の反射面１９で反射して記録媒体１４の被走査面上で結像する。ここで、スピナードライバ４４に駆動制御される走査手段１６が回動することにより、図中の矢印Ｘで示す方向に主走査を行うことができる。また、同時に、副走査移動手段が走査手段１６を副走査方向（図１の矢印Ｃで示す方向）に移動させる。
走査手段１６は、上述したように駆動制御されて記録媒体１４の被走査面を全面走査することにより記録媒体１４に画像を二次元的に記録することができる。
【００５３】
インナードラム内に導入された光ビームは、集光レンズ２６と回折光学素子２４とを通過し、キューブプリズム１８の反射面１９で反射して支持体１２の内周面方向に偏向する。１次光からなる光ビームは記録媒体１４の被走査面上において結像し、図５に示すような略矩形形状のビームスポットを形成する。
なお、インナードラム露光装置１０は、画像が記録された記録媒体を支持体の外部に搬出する、図示しない搬出手段を備える。
【００５４】
以下、上述の構成を有する本発明の第１の実施形態に係るインナードラム露光装置１０の作用を説明する。
【００５５】
インナードラム露光装置１０は、走査手段１６とレーザ光源３０とを制御装置４０で駆動制御しながら記録媒体１４に画像を記録する。図示しない入力装置から露光する画像情報を入力し露光処理開始の指令を制御装置４０に送信すると、制御装置４０は露光すべき画像情報に基づいて画像信号を発生し、この画像信号をレーザドライバ４２へ送信する。レーザドライバ４２はレーザ光源３０を駆動制御して画像信号に基づいて変調した光ビームを出射する。
また、露光処理開始の指令を受けた制御装置４０は、制御信号をスピナードライバ４４に送信する。スピナードライバ４４は、走査手段１６のモータ２２の回転動作を制御すると同時に、副走査移動手段を駆動制御する。
【００５６】
レーザ光源３０から出射する略直線偏向の光ビームは、１／４波長板を通過する際にその偏光状態が円偏光に変わる。その後、反射鏡３４および反射鏡３６により、光ビームをインナードラム内に導入する。光ビームは、集光レンズ２６を通過し、記録媒体の被走査面に向かって集光する。
次に、集光レンズ２６を通過した光ビームは、走査手段１６のキューブプリズム１８の光学ガラスブロック１８ｂの入射面に配設する回折光学素子２４に入射する。
【００５７】
本発明に係るインナードラム露光装置において、光ビームは、回折光学素子２４により回折されて、主に、０次光と１次光との二つの回折光に分離する。それら二つの回折光は、図４に示すような反射率の入射角依存性を有する反射面１９に入射する。本第１の実施形態では、入射角αで入射する０次光は反射面１９で反射せずに透過する。入射角βで入射する１次光は、出射光の光軸が支持体の円筒内周面方向となるように反射する。こうして、不要光である０次光は除去されて、１次光は記録媒体まで導かれる。
【００５８】
ところで、本発明に係るインナードラム露光装置においては、主に、集光レンズ２６と回折光学素子２４とが光ビームに作用して、光ビームの回折光である１次光によるビームスポット形状を、記録媒体１４の被走査面上において図５に示すような略矩形形状となるように整形する。図５に示すビームスポットは、一例として、主走査方向の半値全幅が５μｍで副走査方向の半値全幅が１１μｍである。
【００５９】
一方、図６に、従来のガウス分布の光ビームによるビームスポットを示す。これは、半値全幅が８．８μｍ（１／ｅ２幅１５μｍ）であるビームスポットの一例を示すものである。
図６に示すビームスポットの光強度分布は、横断面が円形で、そのエッジ部は緩やかな強度分布を有する。これは、光パワー変動といった記録条件や、自動現像機の現像の度合いといった現像条件等の変化により、小ドットにおけるドットサイズの安定性が低下し、網点面積率特性の変動を引き起こすという問題点の要因となる。
【００６０】
それに対して、図５のビームスポットは、エッジ部が急峻な略矩形形状を有しており、上述した問題点を改善し、小ドットにおけるドットサイズを安定させることができる。従って、ＦＭスクリーンを用いて安定して中間調を表現するように記録できる。
【００６１】
１次光は、キューブプリズム１８の反射面１９で、支持体１２の円筒内周面に垂直な方向に反射する。その後、キューブプリズム１８から出射した１次光は、記録媒体１４の被走査面上で結像して、図５に示すように副走査方向を長手方向とする略矩形形状のビームスポットを形成する。
走査手段１６が回転駆動して上記の略矩形形状のビームスポットが記録媒体１４の被走査面を主走査する。このとき、走査手段１６は、例えば３０，０００ｒｐｍ程度の回転数で回転駆動する。また、走査手段１６は、図示しない副走査移動手段により走査手段の回転に応じて副走査方向に移動する。こうして、走査手段１６は、記録媒体１４の被走査面を全面走査して画像を記録する。
【００６２】
上述した本実施形態に係るインナードラム露光装置により、本発明の目的を達成することができる。ただし、本実施形態に係るインナードラム露光装置は、その趣旨を逸脱しない限り種々の変更が可能である。
【００６３】
例えば、本実施形態について説明するのに、図３および図４で示すような１次光の入射角βが０次光の入射角αよりも大きい場合に付いて説明した。これに対して、図７に示すように１次光の入射角βが０次光の入射角αよりも小さくなるように１次光が回折する回折特性を有する回折光学素子２４を使用してもよい。
【００６４】
この場合では、反射面における反射率の入射角依存性は、入射角が小さい方は反射率が大きく、入射角が大きい方は反射率が小さいというものである。
つまり、１次光の入射角である角度βが反射領域に、０次光の入射角である角度αが透過領域に位置するように、反射面１９における反射率の入射角依存性を決めることにより、不要光である０次光を除去し、主たる回折光である１次光のみを記録媒体上に導くことができる。
【００６５】
ところで、この場合においても、反射面１９と中心軸とがなす角度γは、１次光の回折角θを用いて以下のように表わすことができる。
γ＝４５°−θ／２    （０°＜θ＜９０°）
角度γは、回折角θを決めれば上記の式で一義的に導くことができる。ただし、θの範囲は、好適なθの範囲ではなく、とり得る可能な範囲を示したものである。
【００６６】
以上、本発明の第１の実施形態に係るインナードラム露光装置１０について説明した。
【００６７】
以下、本発明の第２の実施形態に係るインナードラム露光装置について説明する。
本実施形態に係るインナードラム露光装置は、第１の実施形態と同様に、回折光学素子を使用して安定した中間調を表現可能にする。
【００６８】
第１の実施形態における不要光の除去手段は、反射率の入射角依存性を有する反射面を配設して、回折光学素子に入射する光ビームの回折光である０次光と１次光の入射角の差を利用することにより、不要光である０次光を除去するものであった。
それに対して、本実施形態に係るインナードラム露光装置は、上述のような反射率の特性を有する反射面１９の代わりに全反射面５４を備える。本実施形態に係るインナードラム露光装置における除去手段は、走査手段の近傍で、かつ、不要光の光路上に一対の遮光板を配設することにより不要光を除去するものである。これにより本発明の目的を達成する。
【００６９】
本実施形態に係るインナードラム露光装置は、回折光学素子を使用し、入射する光ビームの回折光である１次光が記録媒体上で結像して形成するビームスポットの形状を、副走査方向を長手方向とする略矩形形状に整形することができることに関しては第１の実施形態と同様である。従って、第１の実施形態と同じ構成要素には同一の符号を付してその説明は省略する。
【００７０】
以下、図８，図９を使用して第２の実施形態に係るインナードラム露光装置について説明する。図８は、第２の実施形態に係るインナードラム露光装置の要部を示す模式的斜視図である。また、図９は、回折光が反射面１９ａで反射する様子を模式的に表わす説明図である。回折光である０次光の光軸をＬ０、１次光の光軸をＬ１とする。さらに、１次光の回折角を角度θとし、全反射面５４に対する０次光の入射角を角度αとし、１次光の入射角を角度βとする。また、図９は、１次光の入射角βが０次光の入射角αよりも大きくなる場合を示すものである。
【００７１】
図８に示すように、回折光学素子２４は、第１の実施形態と同様に、キューブプリズム５０に光ビームが入射する入射面上に配設して、回折光学素子２４に入射した光ビームを回折することにより、中心軸と同一の光軸を有する０次光と、中心軸と所定の回折角θで回折する１次光とに分離する。
また、回折光学素子２４は、記録媒体１４の被走査面上で結像する１次光が副走査方向を長手とする略矩形形状のビームスポットを形成するように光ビームを整形する。
【００７２】
図９に示すように、キューブプリズム５０は、三角柱形状を有する二つの光学ガラスブロック１８ａ，１８ｂからなる略直方体形状のプリズムである。光学ガラスブロック１８ａはモータ２２側に配し、光学ガラスブロック１８ｂは光源側に配する。本第２の実施形態に係るキューブプリズム５０は、光学ガラスブロック１８ａと光学ガラスブロック１８ｂとの接合面に全反射面５４を有する。
【００７３】
また、全反射面５４が、中心軸と所定の角度γをなすようにキューブプリズム５０を設ける。この角度γは、第１の実施形態に係る反射面１９と同様に、全反射面５４で反射された１次光の反射光の光軸Ｌ１が支持体１２の円筒内周面に対して垂直となるように決める。
【００７４】
さらに、本実施形態に係るインナードラム露光装置は、図８，図９で示すように、不要光を除去する除去手段として走査手段１６ａの周辺に円盤形状を有する一対の遮光板５２を備える。一対の遮光板５２は、走査手段１６ａと共通の台座５６に固定することによって、走査手段１６ａとの相対的な位置関係を常に維持することができる。
【００７５】
図８に示すように、光源側から第１遮光板５２ａを配置する。第１遮光板５２ａは、走査手段１６ａの回転動作を妨げない程度に走査手段１６ａの近傍に配置する。また、円盤形状である第１遮光板５２ａは、その中心が中心軸（円筒中心軸）上に位置するように配置し、その中心部には入射光ビームを通過させるための円状の切り欠きを設ける。
【００７６】
その第１遮光板５２ａと平行で、かつ、キューブプリズム１８を挟むように第２遮光板５２ｂを配置する。第１遮光板５２ａと同様に円盤形状である第２遮光板５２ｂは、その中心が中心軸上に位置するように配置し、その中心部は、走査手段１６ａの軸２０を配置するための切り欠きを設ける。
【００７７】
第１遮光板５２ａおよび第２遮光板５２ｂの上端部は、共通の台座５６に位置決め固定する。また、その他の端部は、支持体１２の内周面に保持された記録媒体１４と少なくとも接触しない程度の間隔を設けて、支持体１２の内周面近傍まで延設する。不要光である０次光や走査手段１６ａから発生する散乱光等のインナードラム内の迷光を除去するために、インナードラム露光装置が備える種々の装置の動作を妨げない限りにおいて、一対の遮光板５２と支持体内周面との間隔は小さい方が好ましい。
【００７８】
また、走査手段１６ａのモータ２２は、遮光板５２を配設する台座５６の端部と反対の端部に延設する保持部材５６ａによって台座５６に固定される。また、この台座５６は、図示しない副走査移動手段を備え、回転駆動する走査手段１６ａの主走査に応じて、副走査方向（図８中の矢印Ｃで示す方向）に移動する。従って、本第２の実施形態に係るインナードラム露光装置は、画像記録動作時に、一対の遮光板５２と走査手段１６ａとが一体となって副走査方向に移動することができる。
【００７９】
ところで、副走査移動手段としては、例えば、スクリューシャフトとそれを回転させるモータとを備え、モータが回転駆動することによりスクリューシャフトが回動して副走査方向に台座５６を移動させるもの等を使用することができる。
【００８０】
ここで、上記キューブプリズム５０と一対の遮光板５２とを備える本実施形態に係るインナードラム露光装置の除去手段についてさらに詳細に説明する。
【００８１】
全反射面５４に入射角αで入射した０次光は、中心軸と垂直である１次光の光軸Ｌ１に対して角度θの方向に反射する。ここで、中心軸から記録媒体１４までの距離をＲとすると、０次光が中心軸と垂直方向に距離Ｒだけ進む際に、中心軸と全反射面５４との交点を原点とする中心軸方向の変位は、Ｒｔａｎθで表わすことができる。つまり、第１遮光板５２ａは、上記原点から中心軸方向にＲｔａｎθよりも近い位置に配置するとよい。
【００８２】
また、第２遮光板５２ｂは、第１遮光板５２ａ同様にキューブプリズム５０の近傍に配設する。この第２遮光板５２ｂは、例えば、走査手段１６ａのプリズム５０で発生する散乱光や、０次光・１次光以外の高次の回折光や、インナードラム内の迷光等の不要光を除去することができる。これらの不要光による記録媒体の露光を抑制することにより、画像の鮮鋭度を損なうことなく、安定した中間調を表現することができる。
【００８３】
以下、本実施形態の作用を説明する。本実施形態の作用は、０次光を除去する除去方法を除き、基本的には第１の実施形態と同様である。
【００８４】
本実施形態に係るインナードラム露光装置では、走査手段１６ａとレーザ光源３０とを制御装置４０で駆動制御しながら記録媒体１４に画像を記録する。図示しない入力装置から露光する画像情報を入力し露光処理開始の指令を制御装置４０に送信すると、制御装置４０は露光すべき画像情報に基づいて画像信号を発生し、この画像信号をレーザドライバ４２へ送信する。レーザドライバ４２はレーザ光源３０を駆動制御して画像信号に基づいて変調した光ビームを出射する。
また、露光処理開始の指令を受けた制御装置４０は、制御信号をスピナードライバ４４に送信する。スピナードライバ４４は、走査手段１６ａのモータ２２の回転動作を制御すると同時に、副走査移動手段を駆動制御する。
【００８５】
レーザ光源３０から出射する略直線偏向の光ビームは、１／４波長板３２を通過する際にその偏光状態が円偏光に変わる。その後、反射鏡３４および反射鏡３６により、光ビームをインナードラム内に導入する。光ビームは、集光レンズ２６を通過し、記録媒体の被走査面に向かって集光する。
次に、集光レンズ２６を通過した光ビームは、走査手段１６ａのキューブプリズム５０の光学ガラスブロック１８ｂの入射面に配設する回折光学素子２４に入射する。
【００８６】
本実施形態においても第１の実施形態と同様に、光ビームは、回折光学素子２４により回折されて、主に、０次光と１次光との二つの回折光に分離する。次に、１次光はその光軸Ｌ１が支持体１２の円筒内周面に対して垂直方向に、０次光は中心軸と垂直である１次光の光軸Ｌ１に対して角度θの方向に反射面５２で反射する。図９に示すように、０次光は、記録媒体１４に到達する前に第１遮光板５２ａにより除去され、１次光は記録媒体１４の被走査面上で結像する。
記録媒体１４の被走査面上で結像した１次光は、第１の実施形態において図５を用いて説明したように副走査方向を長手とする略矩形形状のビームスポットを形成する。第１の実施形態同様に、本実施形態においてもこのビームスポットを用いて記録媒体に画像を形成する。
走査手段１６ａのキューブプリズム５０が高速回転しつつ、一対の遮光板５２と共に走査手段１６ａが副走査方向（図８中に矢印Ｃで示す）に移動して、記録媒体１４を全面走査する。
【００８７】
上述のようにして、記録媒体に画像を記録することにより、不要光による記録媒体の露光に起因する画像の鮮鋭度の低下を抑制し、かつ、ＦＭスクリーンを用いて安定して中間調を表現するように画像を記録できる。これにより、本発明の目的を達成することができる。
【００８８】
以上、本発明の第２の実施形態に係るインナードラム露光装置について説明した。しかし、本第２の実施形態に係るインナードラム露光装置は、上述のものに限定されず、その趣旨を逸脱しない限りにおいて種々の変更が可能である。
【００８９】
第２の実施形態として、図９で示すように１次光の入射角βが０次光の入射角αよりも大きくなるような回折角θを与える回折光学素子を使用する場合について説明した。これに対して、例えば、第１の実施形態において図７を用いて説明したように、１次光の入射角βが０次光の入射角αよりも小さくなるような回折角θを与える回折光学素子を使用してもよい。この場合では、全反射面５４で反射した０次光は、１次光に対して角度θで第２遮光板５２ｂの方向に進む。
【００９０】
このとき、第２遮光板５２ｂは、第２の実施形態における第１遮光板の５２ａの配置位置で説明したように、中心軸と全反射面５４との交点である原点から中心軸方向にＲｔａｎθよりも近い位置に配置するとよい。これにより、０次光を除去することができる。上述した、入射角βが０次光の入射角αよりも大きくなる場合と同様に、本発明の目的を達成することができる。
【００９１】
ところで、本発明の第１および第２の各実施形態において、副走査方向を長手方向とする略矩形形状となるようにビームスポット形状を整形し、これにより小ドットのドットサイズの安定性を向上することで本発明の目的を達成した。本発明では、これに限らず、２個以上の微小ビームスポットを、隣接する微小ビームスポットが一部重なるようにして副走査方向に並置することによって略矩形形状のビームスポットを形成するようにしてもよい。
【００９２】
上述の所望のビームスポット形状となるように、第１の実施形態では回折光学素子の回折溝の形状を、装置の構成等に応じて適宜決定すればよい。その他の構成や、動作については上述の夫々の実施形態に係るインナードラム露光装置と同様であるので説明は省略する。
【００９３】
図１０には、回折光学素子を使用して、二つの微小スポットを形成し、その一部が重なるように副走査方向に並置する光ビームのビームスポットを示す。
図６に示す、従来のガウス分布の光ビームによるビームスポットはそのエッジ部が緩やかな強度分布を有する。これは、光パワー変動や刷り枚数といった記録条件や、自動現像機の現像の度合いといった現像条件等の影響をうけて、網点面積率特性の変動を引き起こすという従来の問題点の要因となるのは上述した通りである。
【００９４】
それに対して、図１０に示すビームポットは、図６に示すものよりも副走査方向を長手方向とする略矩形形状に近く、主走査方向にはエッジ部がシャープになっている。また、さらに複数の微小スポットを並置することによりスポット形状がより略矩形形状に近づく。微小スポットの数が８個程度のとき、ビームスポットは、図５に示す、エッジ部が急峻な略矩形形状となる。従って、複数の微小スポットを副走査方向に並置することにより、先に説明した略矩形形状のビームスポットを使用して画像を記録する場合と同様の効果を得ることができる。
【図面の簡単な説明】
【００９５】
【図１】第１の実施形態に係るインナードラム露光装置の概略構成図である。
【図２】第１の実施形態に係る操作手段の要部を示す模式図である。
【図３】第１の実施形態に係る光ビームの作用を模式的に示す説明図である。
【図４】第１の実施形態に係るキューブプリズムの反射面の特性を説明する説明図である。
【図５】本発明に係る光ビームのビームスポットの光量分布を示す説明図である。
【図６】従来技術による光ビームのビームポットの光量分布を示す説明図である。
【図７】第１の実施形態の変更例に係る光ビームの作用を模式的に示す説明図である。
【図８】第２の実施形態に係るインナードラム露光装置の要部を示す模式的斜視図である。
【図９】第２の実施形態に係る光ビームの作用を模式的に示す説明図である。
【図１０】副走査方向に２個の微小ビームスポットを並置した場合のビームスポットの光量分布を示す説明図である。
【符号の説明】
【００９６】
１０  インナードラム露光装置
１２  支持体
１４  記録媒体
１６  走査手段
１８  キューブプリズム
１８ａ，１８ｂ  光学ガラスブロック
１９  反射面
１９ａ  誘電体多層膜
２０  軸
２２  モータ
２４  回折光学素子
２６  集光レンズ
３０  レーザ光源
３２  １／４波長板
３４，３６  反射鏡
４０  制御装置
４２  レーザドライバ
４４  スピナードライバ
５０  キューブプリズム
５２  遮光板
５２ａ  第１遮光板
５２ｂ  第２遮光板
５４  全反射面
５６  台座
５６ａ  保持部材
【図１】
2007093947.tif 000003
【図２】
2007093947.tif 000004
【図３】
2007093947.tif 000005
【図４】
2007093947.tif 000006
【図５】
2007093947.tif 000007
【図６】
2007093947.tif 000008
【図７】
2007093947.tif 000009
【図８】
2007093947.tif 000010
【図９】
2007093947.tif 000011
【図１０】
2007093947.tif 000012